(57)【要約】【課題】本発明は、日本語キーボードを用いた文字入力方法に関するものである。【解決手段】この方法は、五十音図で、１０個の行と５個の段(a,i,u,e,o)から構成されて、各行のａ、ｉ、ｕ段は、３０個の基本キーに、各行別に垂直配列し、各キーを押すことにより入力されて、各行の四番目(ｅ段)の文字キーと五番目(ｏ段)の文字キーがそれぞれ1つのキーから構成されている日本語キーボードを用いた文字入力方法であって、各行の三番目(ｕ段)の文字キーを押した後、前記四番目(ｅ)の文字キーを押すと、各行の四番目の文字が入力されて、各行の三番目(ｕ段)の文字キーを押した後、前記五番目(ｏ)の文字キーを押すと、各行の５番目の文字が入力されて、各行の四番目、五番目の文字は、連続且つ交互に入力が可能であることを特徴とする。【選択図】図２
2008021312.tif 000002
【特許請求の範囲】
【請求項１】
五十音図で、１０個の行と５個の段(a,i,u,e,o)から構成されて、各行のａ、ｉ、ｕ段は、３０個の基本キーに、各行別に垂直配列し、各キーを押すことにより入力されて、各行の四番目(ｅ段)の文字キーと五番目(ｏ段)の文字キーがそれぞれ1つのキーから構成されている日本語キーボードを用いた文字入力方法であって、
各行の三番目(ｕ段)の文字キーを押した後、前記四番目(ｅ)の文字キーを押すと、各行の四番目の文字が入力されて、各行の三番目(ｕ段)の文字キーを押した後、前記五番目(ｏ)の文字キーを押すと、各行の５番目の文字が入力されて、各行の四番目、五番目の文字は、連続且つ交互に入力が可能であることを特徴とする日本語キーボードを用いた文字入力方法。
【請求項２】
前記キーボードは、第１列の各キーに「‘（〜）、１(！)、２(＠)、３(＃)、４(＄)、５(％)、６(＾)、７(＆)、８(＊)、９(（）、０（）)、−(＿)、＝(＋)、￥(｜)」の文字が割り当てられており、第２列の各キーに「あ、か、さ、た、な、は、ま(｛)、や(｝)、ら(‘)、わ(“)、゜(半濁音、小、「)、−(゜)」の文字が割り当てられており、第３列の各キーに「い、き、し、ち、に、ひ、み([)、ゆ(])、り(、)、を(；)、゛(濁音、」)」の文字が割り当てられており、第４列の各キーに「う、く、す、つ、ぬ(/)、ふ(？)、む(＜)、よ(＞)、る(。)、ん(：)」の文字が割り当てられており、第５列に「ｅ、ｏ」段の文字が「ｅ、ｏ」キーに割り当てられていることを特徴とする請求項１に記載の日本語キーボードを用いた文字入力方法。
【請求項３】
第１列の各キーに「‘（〜）、１(！)、２(＠)、３(＃)、４(＄)、５(％)、６(＾)、７(＆)、８(＊)、９(（）、０（）)、−(＿)、＝(＋)、￥(｜)」の数字と記号が割り当てられており、第２列の各キーに「あ(｛)、か(｝)、さ([)、た(])、な(＜)、は(＞)、ま(/)、や(‘)、ら(？)、わ(“)、゜(半濁音、小、「)、−(゜)」の文字が割り当てられており、第３列の各キーに「い(え)、き(け)、し(せ)、ち(て)、に(ね)、ひ(へ)、み(め)、ゆ(、)、り(れ)、を(；)、゛(濁音、」)」の文字が割り当てられており、第４列の各キーに「う(お)、く(こ)、す(そ)、つ(と)、ぬ(の)、ふ(ほ)、む(も)、よ(。)、る(ろ)、ん(：)」の文字が割り当てられている日本語キーボードを用いた文字入力方法において、
基本文字と第２文字が割り当てられているキーボード配列で、入力しようとする第２文字を含んでいるキーと、前記キーの右側に位置したキーとを同時に押すと、前記入力しようとする左側の第２文字が入力されて、
入力しようとする第２文字を含んでいるキーを押してから、シフトキーを押すと、前記入力しようとする第２文字が入力されて、
シフトキーを連続して押すことにより、同一文字が連続的に入力されることを特徴とする、日本語キーボードを用いた文字入力方法。
【発明の詳細な説明】
【技術分野】
【０００１】
本発明は、日本語キーボードを用いた文字入力方法に関するものである。
【背景技術】
【０００２】
従来、日本語キーボードでは、図１に示したように、５０字の文字を数字キーにまで配列し、熟知しやすい基準点のないキーボード配列により熟知し難く、運指距離が長くなる不具合があった。
【０００３】
このような問題点は、ＰＣキーボードだけではなく、ソフトウェアキーボードなど、多様なキーボードから生じ得る。
【０００４】
したがって、ＰＣキーボード、ソフトウェアキーボード(ＰＤＡ，タブレット、ウルトラモバイルなど)などにおいて、誤打の発生を低減して、文字を効率的に入力できるようにする文字入力方法が要求されている。
【発明の開示】
【発明が解決しようとする課題】
【０００５】
したがって、前記問題点を解決するために、本発明は、各キー毎に文字が割り当てられているキーボードにおいて、文字数を最小化して熟知し易くして、効率的に入力できるようにする文字入力方法を提供することを目的とする。
【課題を解決するための手段】
【０００６】
前記目的を達成するための本発明は、五十音図で、１０個の行と５個の段(a,i,u,e,o)から構成されて、各行のａ、ｉ、ｕ段は、３０個の基本キーに、各行別に垂直配列し、各キーを押すことにより入力されて、各行の四番目(ｅ段)の文字キーと五番目(ｏ段)の文字キーがそれぞれ1つのキーから構成されている日本語キーボードを用いた文字入力方法であって、各行の三番目(ｕ段)の文字キーを押した後、前記四番目(ｅ)の文字キーを押すと、各行の四番目の文字が入力されて、各行の三番目(ｕ段)の文字キーを押した後、前記五番目(ｏ)の文字キーを押すと、各行の５番目の文字が入力されて、各行の四番目、五番目の文字は、連続且つ交互に入力が可能であることを特徴とする。
【０００７】
また、本発明は、前記キーボードは、第１列の各キーに「‘（〜）、１(！)、２(＠)、３(＃)、４(＄)、５(％)、６(＾)、７(＆)、８(＊)、９(（）、０（）)、−(＿)、＝(＋)、￥(｜)」の文字が割り当てられており、第２列の各キーに「あ、か、さ、た、な、は、ま(｛)、や(｝)、ら(‘)、わ(“)、゜(半濁音、小、「)、−(゜)」の文字が割り当てられており、第３列の各キーに「い、き、し、ち、に、ひ、み([)、ゆ(])、り(、)、を(；)、゛(濁音、」)」の文字が割り当てられており、第４列の各キーに「う、く、す、つ、ぬ(/)、ふ(？)、む(＜)、よ(＞)、る(。)、ん(：)」の文字が割り当てられており、第５列に「ｅ、ｏ」段の文字が「ｅ、ｏ」キーに割り当てられていることを特徴とする。
【０００８】
また、本発明は、 第１列の各キーに「‘（〜）、１(！)、２(＠)、３(＃)、４(＄)、５(％)、６(＾)、７(＆)、８(＊)、９(（）、０（）)、−(＿)、＝(＋)、￥(｜)」の数字と記号が割り当てられており、第２列の各キーに「あ(｛)、か(｝)、さ([)、た(])、な(＜)、は(＞)、ま(/)、や(‘)、ら(？)、わ(“)、゜(半濁音、小、「)、−(゜)」の文字が割り当てられており、第３列の各キーに「い(え)、き(け)、し(せ)、ち(て)、に(ね)、ひ(へ)、み(め)、ゆ(、)、り(れ)、を(；)、゛(濁音、」)」の文字が割り当てられており、第４列の各キーに「う(お)、く(こ)、す(そ)、つ(と)、ぬ(の)、ふ(ほ)、む(も)、よ(。)、る(ろ)、ん(：)」の文字が割り当てられている日本語キーボードを用いた文字入力方法において、基本文字と第２文字が割り当てられているキーボード配列で、入力しようとする第２文字を含んでいるキーと、前記キーの右側に位置したキーとを同時に押すと、前記入力しようとする左側の第２文字が入力されて、入力しようとする第２文字を含んでいるキーを押してから、シフトキーを押すと、前記入力しようとする第２文字が入力されて、シフトキーを連続して押すことにより、同一文字が連続的に入力されることを特徴とする。
【発明の効果】
【０００９】
本発明によれば、各キー毎に文字が割り当てられているＰＣキーボードとソフトウェアキーボードを用いて、使用者が入力しようとする文字を、熟知し易いキーボード配列で、キー間距離を短くし、指一本でも入力できて便利であり、迅速且つ効率的に入力することができる。
【００１０】
また、このような文字入力技術は、世界の言語文字入力のキーボードでも応用して使用できる。
【発明を実施するための最良の形態】
【００１１】
以下、本発明の好ましい実施例を、添付した図面を参照し、詳細に説明する。
【実施例】
【００１２】
図２は、本発明による日本語キーボードの一例を示した図面である。
【００１３】
図２において、第１列の各キーに「‘（〜）、１(！)、２(＠)、３(＃)、４(＄)、５(％)、６(＾)、７(＆)、８(＊)、９(（）、０（）)、−(＿)、＝(＋)、￥(｜)」の数字と記号が割り当てられる。また、第２列の各キーに「あ、か、さ、た、な、は、ま(｛)、や(｝)、ら(‘)、わ(“)、゜(半濁音、小、「)、−(゜)」が割り当てられており、第３列の各キーに「い、き、し、ち、に、ひ、み([)、ゆ(])、り(、)、を(；)、゛(濁音、」)」が割り当てられており、第４列の各キーに「う、く、す、つ、ぬ(/)、ふ(？)、む(＜)、よ(＞)、る(。)、ん(：)」が割り当てられており、第５列の「ｅ、ｏ」キーに「ｅ、ｏ」段の文字が割り当てられていて、ここで、ｅ段は、「え、け、せ、て、ね、へ、め、れ」であり、ｏ段は、「お、こ、そ、と、の、ほ、も、ろ」である。例えば、ｕ段(う、く、す、つ、ぬ、ふ、よ、む、る、ん)の各キーを押した後、ｅとｏのキーを押すと、ｕ段の文字は、各ｅ段(え、け、せ、て、ね、へ、め、れ)と、ｏ段(お、こ、そ、と、の、ほ、も、ろ)の文字に転換入力されて、ｅとｏのキーを連続して押すことにより、連続的に(ええ、おお)、交互に(えお、おえ)入力することができる。
【００１４】
日本語五十音図は、次のようである。
【００１５】
【表１】
2008021312.tif 000003
【００１６】
また、第１列の「‘、１、２、３、４、５、６、７、８、９、０、−、＝、￥」の各キーを押した後、シフトキーを押すと、「〜、！、＠、＃、＄、％、＾、＆、＊、（、）、＿、＋、｜」の記号に転換入力されて、ま(｛)、や(｝)、ら(‘)、わ(“)、゜(半濁音、小、「)、−(゜)、み([)、ゆ(])、り(、)、を(；)、゛(濁音」)、ぬ(/)、ふ(？)、む(＜)、よ(＞)、る(。)、ん(：)のキーを押した後、シフトキーを押すと、(｛)、(｝)、(‘)、(“)、(「)、(゜)、([)、(])、(、)、(；)、(」)、(/)、(？)、(＜)、(＞)、(。)、(：)の文字に転換入力されて、シフトキーを連続して押すことにより、各文字を連続的に入力できる。
【００１７】
また、「〜、！、＠、＃、＄、％、＾、＆、＊、（、）、＿、＋、｜、(｛)、(｝)、(‘)、(“)、(「)、(゜)、([)、(])、(、)、(；)、(」)、(/)、(？)、(＜)、(＞)、(。)、(：)」の記号入力は、入力しようとする記号のキーと右側キーとを０．１秒以内に同時に押すことにより、各記号に転換入力される。
【００１８】
゜(半濁音、小、「)のキーは、゜(半濁音、小、「)のキーと小さくなる文字（あ・い・う・え・お・つ・や・ゆ・よ・わ）のキーとを同時に押すことにより、小文字(ぁ、ぃ、ぅ、ぇ、ぉ、っ、ゃ、ゅ、ょ、ゎ)の転換キーとして活用され、小文字(ぁ、ぃ、ぅ、ぇ、ぉ、っ、ゃ、ゅ、ょ、ゎ)と゜(半濁音)とは同時に使用しないため、共同キーとして使用してもよい。
【００１９】
図２の日本語キーボードを用いた文字入力において、ｕ段(う、く、す、つ、ぬ(/)、ふ(？)、む(＜)、よ(＞)、る(。)、ん(：))のキーのそれぞれを押した後、ｅ、ｏのキーを押すことにより、e段(え、け、せ、て、ね、へ、め、れ)、ｏ段(お、こ、そ、と、の、ほ、も、ろ)の文字に転換入力されて、また、ｅ段、ｏ段の文字を連続的(ええ、おお)に、交互(えお、おえ)に入力することができる。
【００２０】
例えば、え＝う＋ｅ、ええ＝う＋ｅｅ、お＝う＋ｏ、おお＝う＋ｏｏ、えお＝う＋ｅｏ
【００２１】
ｕ段の文字を押した後、ｅ、ｏを押すことにより、e段(え、け、せ、て、ね、へ、め、れ)、ｏ段(お、こ、そ、と、の、ほ、も、ろ)の文字に転換されて、ｅ、ｏを連続して押すことにより、ｅ段とｏ段の文字が連続的に入力されて、ｅ、ｏを交互に押すことにより、ｅ段とｏ段の文字が交互に入力される。
【００２２】
ｕ段のう、く、す、つ、ぬ(/)、ふ(？)、む(＜)、よ(＞)、る(。)、ん(：)をそれぞれ押すと、ｅ、ｏ段が入力できる状態となり、ｅ、ｏのキーを押すことにより、ｅ、ｏ段の文字に転換されて、ｅ、ｏ段の文字は、連続的に、且つ交互に入力が可能である。
【００２３】
即ち、ｅ、ｏ段は、互いの移動は、独自的に入力が成される。その他の記号は、基本キーを押した後、シフトキーを押すことにより入力されて、右側キーと同時に押すことにより、左側キーの右側上端の第２文字を入力することもできる。
【００２４】
図３は、本発明による日本語キーボードの他の一例を示した図面である。
【００２５】
図３において、第１列の各キーに「‘（〜）、１(！)、２(＠)、３(＃)、４(＄)、５(％)、６(＾)、７(＆)、８(＊)、９(（）、０（）)、−(＿)、＝(＋)、￥(｜)」の数字と記号が割り当てられており、第２列の各キーに「あ(｛)、か(｝)、さ([)、た(])、な(＜)、は(＞)、ま(/)、や(‘)、ら(？)、わ(“)、゜(半濁音、小、「)、−(゜)」の文字が割り当てられており、第３列の各キーには、「い(え)、き(け)、し(せ)、ち(て)、に(ね)、ひ(へ)、み(め)、ゆ(、)、り(れ)、を(；)、゛(濁音、」)」の文字が割り当てられており、第４列の各キーには、「う(お)、く(こ)、す(そ)、つ(と)、ぬ(の)、ふ(ほ)、む(も)、よ(。)、る(ろ)、ん(：)」の文字が割り当てられている。
【００２６】
ここで、各キーを押すことにより、基本文字を入力して、各キーの第２文字(各キーの右側上端に配置された文字(例えば、え、おなど))の入力は、入力しようとする文字キーと右側キーとを０．１秒以内に同時に押すことにより、第２文字が入力されて、または、入力しようとする第２文字を含んでいるキーを押してから、シフトキーを押すと、前記入力しようとする第２文字が入力されて、シフトキーを連続して押すことにより、第２文字が連続入力される。
【００２７】
図３の日本語キーボードを用いた文字入力において、例えば、け＝き＋し(1/n秒以内に同時に押す)、と＝つ＋ぬ(1/n秒以内に同時に押す)のように入力されて、入力しようとする第２文字を含んでいるキーを押してからシフトキーを押すと、前記入力しようとする第２文字が入力されて、シフトキーを連続して押すことにより、第２文字が連続入力される。゜(半濁音、小、「)のキーは、゜(半濁音、小、「)のキーと小さくなる文字（あ・い・う・え・お・つ・や・ゆ・よ・わ）のキーとを同時に押すことにより、小文字(ぁ、ぃ、ぅ、ぇ、ぉ、っ、ゃ、ゅ、ょ、ゎ)の転換キーとして活用されて、小文字(ぁ、ぃ、ぅ、ぇ、ぉ、っ、ゃ、ゅ、ょ、ゎ)と゜(半濁音)とは同時に使用しないため、共同キーとして使用してもよい。
【００２８】
以上のように、本発明は、文字配列の文字数を５０字から３０字に、行別に垂直に配列して、段別に水平に文字を配列し、非常に熟知し易く、直接日本語で入力できるようにキーボードを開発したものである。
【００２９】
上述のように、本発明によると、各キー毎に文字が割り当てられているＰＣキーボードとソフトウェアキーボードを用いて、使用者が入力しようとする文字を、熟知し易いキーボード配列で、キー間距離を短くし、指一本でも入力できて便利であり、迅速且つ効率的に入力することができる。
【００３０】
また、このような文字入力技術は、世界の言語文字入力のキーボードでも応用して使用できる。
【図面の簡単な説明】
【００３１】
【図１】従来技術に係わる日本語ＰＣキーボードを示した図である。
【図２】本発明に係わる日本語キーボードの一例を示した図である。
【図３】本発明に係わる日本語キーボードの他の例を示した図である。
【図２】
2008021312.tif 000004
【図３】
2008021312.tif 000005
【図１】
2008021312.tif 000006